(57)【要約】【課題】光軸方向に薄型化され、かつレンズの位置検出を正確に行うことが可能な光学モジュールおよびその光学モジュールを備えた携帯端末を提供する。【解決手段】レンズ群２１を保持するレンズ保持体２２と、レンズ群２１の光軸に直交する方向に延びる出力軸１３ｂを有し、出力軸１３ｂを回転させるモータ１３と、出力軸１３ｂの回転を光軸方向への並進運動に変換してレンズ保持体２２に伝達する伝達機構５３とを備え、レンズ保持体２２の光軸方向の位置の検出をするための検出部としての光電センサ６１と、カムギア５６に形成された被検出部５６ｆとを有し、検出部６１は赤外域にピークを持つ受発光を行い、被検出部５６ｆの第１の反射部５６ｇは反射タイプの赤外カットフィルタを形成することで、透過・吸収されない赤外光が効率よく反射され、検出部から大きな出力を得て、レンズ位置を正確に検出できる。【選択図】図８
2007309973.tif 000002
【特許請求の範囲】
【請求項１】
結像用のレンズと、
前記レンズにより光像が結像される撮像素子と、
該レンズを光軸方向に移動可能に保持するレンズ保持体と、
駆動力を出力する出力軸を有し、前記レンズ保持体に対して前記光軸と略垂直な方向において並列的に配置される駆動源と、
前記駆動力を伝え、前記レンズ保持体が当接して前記光軸方向に案内される様に前記光軸に直交する面に対し傾斜するカム部を有する伝達機構と、
前記カム部の位置を直接もしくは間接的に検出する位置検出手段と、を備え、
前記位置検出手段の検出部は、被検出部に赤外成分を含んだ光を照射する発光部と、前記被検出部で反射された当該照射光を受光可能な受光部と、を有し、
前記被検出部の反射面は反射タイプの赤外カットフィルタを形成し、
前記位置検出手段は、前記検出部の受光結果により前記カム部の駆動を検出することで前記レンズの位置を検出する
光学モジュール。
【請求項２】
前記被検出部の反射面に紫外線硬化型の接着剤によって反射タイプの赤外カットフィルタを貼付した
請求項１に記載の光学モジュール。
【請求項３】
前記伝達機構は、前記出力軸からの駆動力により前記光軸に対して略直交する軸周りに
回転するウォームと、
前記ウォーム又は当該ウォームの回転を伝達する歯車と噛合するギア部、及び前記カム部とを同心円状に配置し、前記光軸に略平行な軸回りに回転するカムギアと、を備えた
請求項１もしくは２に記載の光学モジュール。
【請求項４】
前記カムギアは前記光軸に略垂直な面に凹凸部を形成し、
前記凹凸部の何れか一方が前記位置検出手段の最適検出距離に、残る片方は非最適検出距離になるように形成され、前記最適検出距離になるように形成されている方に反射タイプの赤外カットフィルタを形成している
請求項３に記載の光学モジュール。
【請求項５】
前記位置検出手段は、前記検出部の受光レベルにしきい値を越える変化があった位置を基準位置として検出する
請求項１から４のいずれか一に記載の光学モジュール。
【請求項６】
前記レンズ保持体にガイド軸に案内される複数の軸受部を有し、
前記複数の軸受部は異なる形状を有する
請求項１から５のいずれか一に記載の光学モジュール。
【請求項７】
前記軸受部を２つとし、前記ガイド軸に対してそれぞれの角の向きが異なるＶ字形状とし、前記ガイド軸がそれぞれの軸受部の前記Ｖ字形状の谷部分に摺接する
請求項６に記載の光学モジュール。
【請求項８】
シャッタ羽根と、
前記シャッタ羽根を前記レンズの光路を開閉可能に保持するシャッタ用基体と、を備え、
前記光軸方向に対して一方向から前記シャッタ用基体、前記レンズ保持体、前記撮像素子の順に積層的に配置される
請求項１から７のいずれか一に記載の光学モジュール。
【請求項９】
光学モジュールと、
前記光学モジュールを収納する筐体と、を有し、
前記光学モジュールは、
結像用のレンズと、
前記レンズにより光像が結像される撮像素子と、
該レンズを光軸方向に移動可能に保持するレンズ保持体と、
駆動力を出力する出力軸を有し、前記レンズ保持体に対して前記光軸と略垂直な方向において並列的に配置される駆動源と、
前記駆動力を伝え、前記レンズ保持体が当接して前記光軸方向に案内される様に前記光軸に直交する面に対し傾斜するカム部を有する伝達機構と、
前記カム部の位置を直接もしくは間接的に検出する位置検出手段と、を備え、
前記位置検出手段の検出部は、被検出部に赤外成分を含んだ光を照射する発光部と、前記被検出部で反射された当該照射光を受光可能な受光部と、を有し、
前記被検出部の反射面は反射タイプの赤外カットフィルタを形成し、
前記位置検出手段は、前記検出部の受光結果により前記カム部の駆動を検出することで前記レンズの位置を検出する
携帯端末。
【請求項１０】
電力供給手段を有し、
前記光学モジュールは前記電力供給手段により電力の供給を受ける
請求項９に記載の携帯端末。
【発明の詳細な説明】
【技術分野】
【０００１】
本発明は、携帯電話機等にも搭載可能な光学モジュール、およびその光学モジュールを
備えた携帯端末に関するものである。
【背景技術】
【０００２】
カメラ等に含まれるレンズを光軸方向に駆動する技術として、たとえば以下の技術があ
る。
【０００３】
特許文献１では、駆動モータによって光軸に沿って駆動されるフォーカス用撮像レンズ
と、この撮像レンズの入射光の光量を調整する開口絞りとを備える撮像装置が開示されて
いる。なお、特許文献１には、レンズ、絞り、モータの配置は開示されていない。
【０００４】
特許文献２では、モータの駆動力によって、撮像レンズを合焦位置に駆動した後シャッ
タの開閉駆動を行う撮像装置が開示されている。この撮像装置において、モータは、出力
軸が光軸に平行になるように配置されている。
【０００５】
特許文献３では、レンズ群の被写体側に開口絞りが配置された前絞り２群ズームレンズ
が開示されている。なお、特許文献３には、モータ等の配置については開示されていない
。
【０００６】
なお、単一の駆動源によりレンズや絞りを駆動する撮像装置、モータにより近接撮影用
の光学部材を光路に出し入れする携帯端末等の技術も知られている。
【特許文献１】特開昭６４−１７０３０号公報
【特許文献２】特開平０３−３８６２５号公報
【特許文献３】特開平１０−１２３４１８号公報
【発明の開示】
【発明が解決しようとする課題】
【０００７】
上述の技術では、モータは出力軸が光軸に平行になるように配置されている。したがっ
て、光軸方向に、レンズの移動範囲、モータの出力軸の長さ、モータ本体の長さ等を積算
した大きさだけ、各部の配置領域を確保する必要があり、光軸方向における薄型化が制限
される。また、レンズの位置検出を正確に行うことも要求される。
【０００８】
本発明の目的は、光軸方向に薄型化され、かつレンズの位置検出を正確に行うことが可
能な光学モジュールおよびその光学モジュールを備えた携帯端末を提供することにある。
【課題を解決するための手段】
【０００９】
本発明の第１の観点の光学モジュールは、結像用のレンズと、前記レンズにより光像が結像される撮像素子と、前記レンズを保持し、当該レンズの光軸方向に移動可能なレンズ保持体と、駆動力を出力する出力軸を有し、前記レンズ保持体に対して前記光軸と略垂直な方向において並列的に配置される駆動源と、前記駆動力を伝え、前記レンズ保持体が当接して前記光軸方向に案内される様に前記光軸に直交する面に対し傾斜するカム部を有する伝達機構と、前記カム部の位置を直接もしくは間接的に検出する位置検出手段と、を備え、前記位置検出手段の検出部は、被検出部に赤外成分を含んだ光を照射する発光部と、当該照射光が前記被検出部で反射された光を受光可能で赤外成分の光に反応する受光部と、を備え、且つ前記被検出部は反射タイプの赤外カットフィルタを形成して構成されており、前記位置検出手段は、前記検出部の受光結果により前記カム部の駆動を検出することで前記レンズの位置を検出する。
【００１０】
好適には、前記反射タイプの赤外カットフィルタは紫外線硬化型の接着剤によって前記被検出部に貼付されている。
【００１１】
好適には、前記伝達機構は、前記出力軸からの駆動力により前記光軸に対して略直交す
る軸周りに回転するウォームと、前記ウォーム又は当該ウォームの回転を伝達する歯車と
噛合するギア部、及び前記カム部とを同心円状に配置し、前記光軸に略平行な軸回りに回
転するカムギアと、を備えている。
【００１２】
更に好適には、前記カムギアは前記光軸に略垂直な面に凹凸部を形成し、前記凹凸部の
何れかに被検出部を設定して、前記被検出部は前記位置検出手段の最適検出距離に、被検
出部ではない領域は非最適検出距離になるように形成されている。
【００１３】
好適には、前記位置検出手段は、前記検出部の受光レベルにしきい値を越える変化があ
った位置を基準位置として検出する。
【００１４】
好適には、前記レンズ保持体にガイド軸に案内される複数の軸受部を有し、前記複数の
軸受部は異なる形状を有し、更に好適には、前記軸受部を２つとし、前記ガイド軸に対し
てそれぞれの角の向きが異なるＶ字形状とし、前記ガイド軸がそれぞれの軸受部の前記Ｖ
字形状の谷部分に摺接する。
【００１５】
好適には、シャッタ羽根と、前記シャッタ羽根を前記レンズの光路を開閉可能に保持するシャッタ用基体と、を備え、前記光軸方向に対して一方向から前記シャッタ用基体、前記レンズ保持体、前記撮像素子の順に積層的に配置される。
【００１６】
本発明の第２の観点の携帯端末は、光学モジュールと、前記光学モジュールを収納する
筐体と、を有し、前記光学モジュールは、レンズと、前記レンズにより光像が結像される撮像素子と、前記レンズを保持し、当該レンズの光軸方向に移動可能なレンズ保持体と、駆動力を出力する出力軸を有し、前記レンズ保持体に対して前記光軸と略垂直な方向において並列的に配置される駆動源と、前記駆動力を伝え、前記レンズ保持体が当接して前記光軸方向に案内される様に前記光軸に直交する面に対し傾斜するカム部を有する伝達機構と、前記カム部の位置を直接もしくは間接的に検出する位置検出手段と、を備え、前記位置検出手段の検出部は、被検出部に赤外成分を含んだ光を照射する発光部と、当該照射光が前記被検出部で反射された光を受光可能で赤外成分の光に反応する受光部と、を備え、且つ前記被検出部は反射タイプの赤外カットフィルタを形成して構成されており、前記位置検出手段は、前記検出部の受光結果により前記カム部の駆動を検出することで前記レンズの位置を検出する。
【００１７】
好適には、電力供給手段を有し、前記光学モジュールは前記電力供給手段により電力の
供給を受ける。
【発明の効果】
【００１８】
本発明によれば、光軸方向に薄型化され、かつレンズの位置検出を正確に行うことが可
能な光学モジュール及び該光学モジュールを備える携帯端末を提供することができる。
【発明を実施するための最良の形態】
【００１９】
以下、本発明の実施形態を図面に関連付けて説明する。
【００２０】
図１および図２は、本発明を適用した携帯電話機の一実施形態を示す外観斜視図である
。携帯電話機１はいわゆる折り畳み式の携帯電話機として構成されており、図１は開状態
を、図２は閉状態を示している。
【００２１】
携帯電話機１は、受話筐体２と、送話筐体３とを備え、受話筐体２および送話筐体３は
連結部４により開閉可能に連結されている。受話筐体２および送話筐体３は、閉状態で互
いに対向する面（正面）側の正面側ケース２ｃ、３ｃと、その背面側の背面側ケース２ｄ
、３ｄと、をそれぞれ備えている。これらケースは、たとえば樹脂によりそれぞれ一体成
形される。
【００２２】
受話筐体２には、正面側に画像を表示するメイン表示部５と、その背面側に画像を表示
するサブ表示部６とが、それぞれ各面に沿って設けられている。メイン表示部５およびサ
ブ表示部６は、たとえば液晶表示ディスプレイによって構成される。また、受話筐体２に
は、背面側ケース２ｄに設けられた開口部２ｅから被写体を撮像するための光学モジュー
ル７と、背面側から発光するストロボ８とが設けられている。
【００２３】
送話筐体３は正面側に操作部９を備えている。操作部９には、テンキーボタン９ａ等の
携帯電話機１を操作するための各種ボタンが配置されている。携帯電話機１は、テンキー
ボタン９への入力操作に応じて、無線通信や光学モジュール７による撮像を行う。
【００２４】
なお、携帯電話機１の内部には、無線通信用の高周波回路やアンテナ、通話用のマイク
ロフォンやスピーカが設けられているが、図示は省略する。また、同様に図示は省略して
いるが、操作部９の反対面にはカバーを有し、カバーを開放すると電池収納があり、電池
が収納されている。本発明では、本電池から光学モジュール７の駆動源に電力供給を供給
することで、部品点数の削減、および携帯電話機１の小型化を実現している。
【００２５】
図３（ａ）は、光学モジュール７の概観斜視図、図３（ｂ）は、図３（ａ）のＩＩＩ−
ＩＩＩ線における断面図である。なお、図３のｙ軸方向が光軸方向であり、図３（ａ）の
紙面左下側および図３（ｂ）の紙面上方側が被写体側（図２の紙面上方側）である。
【００２６】
光学モジュール７は、光軸方向において、被写体側から順に、被写体側カバー１１、シ
ャッタユニット１２、レンズユニット１４、基板カバー１５および基板１６が積層され、
全体形状が光軸方向に薄い薄型直方体に概ね形成されている。
【００２７】
具体的には、被写体側カバー１１、レンズユニット１４（後述するレンズ用基体２３）
、基体カバー１５、基板１６は、光軸方向にみて略同程度の大きさの略矩形状に形成され
ており、これら各部の側面は全体形状の側面を構成し、被写体側カバー１１および基板１
６は全体形状の被写体側の面およびその裏面を構成している。光学モジュール７は比較的
小型のモジュールとして構成されており、たとえば、光軸に直交する面の広さは２２ｍｍ
×１６ｍｍ、光軸方向の厚さは６．９ｍｍである。
【００２８】
なお、光学モジュール７は、図３（ｂ）に示すように、レンズを光軸方向に駆動するた
めのモータ１３を内蔵しており、レンズの光軸方向の移動による合焦位置の調整が可能で
ある。
【００２９】
図４は、光学モジュール７を被写体側からみた分解斜視図、図５は、光学モジュール７
を被写体側の反対側からみた分解斜視図である。なお、図５においては、基板カバー１５
および基板１６を省略して示している。
【００３０】
被写体側カバー１１は、全体として矩形の箱体状に形成され、被写体側の板面１１ａと
、板面１１ａの外周を囲む側面１１ｂとを有している。ｘ軸方向の一端側には、被写体側
カバー１１の広さの略半分の大きさの矩形状の開口部１１ｃが開口し、シャッタユニット
１２の大部分が露出する。被写体側カバー１１は、たとえば金属により形成されている。
【００３１】
なお、光学モジュール７において、被写体側カバー１１は、省略してもよい。
【００３２】
シャッタユニット１２は、外形が、全体としてレンズユニット１４の略半分の広さを有
する薄型の略直方体状に形成されている。図５に示すように、シャッタユニット１２のレ
ンズユニット１４側には、光路を中心とする円形の凹部１２ａが設けられており、図３（
ｂ）にも示すように、凹部１２ａには後述するレンズ群２１が挿入され、凹部１２ａはレ
ンズ群２１の移動領域の一部を規定することも可能である。
【００３３】
図４および図５に示すように、モータ１３は、光軸に対してシャッタユニット１２と並
列に、すなわち、光軸に直交する方向においてシャッタユニット１２とモータ１３とが配
列されるようにレンズユニット１４の被写体側に設けられている。また、図３（ｂ）に示
すように、モータ１３は後述するレンズ群２１の径方向外側に位置する。
【００３４】
なお、図４および図５に示すように、モータ１３の被写体側には、シャッタユニット１
２、モータ１３等を基板１６に対して電気的に接続するためのフレキシブルプリント配線
板（ＦＰＣ）３２が設けられている。
【００３５】
レンズユニット１４は、レンズ群２１と、レンズ群２１を保持するレンズ保持体２２と
、レンズ保持体２２をレンズ群２１の光軸方向に移動可能に保持するレンズ用基体２３と
、を備えている。
【００３６】
レンズ群２１は、図４に示すように、たとえば、３枚の光学レンズを含んで構成され、
被写体側から第１レンズ２４、マスク２５、第２レンズ２６、マスク２７、第３レンズ２
８の順に積層されている。第１レンズ２４、第２レンズ２６、第３レンズ２８は、被写体
側から徐々に径が大きくなるように構成されている。なお、単一のレンズがレンズ保持体
２２に保持されていてもよい。
【００３７】
レンズ保持体２２は、図３（ｂ）にも示すように、各レンズ２４、２６、２８がそれぞ
れ嵌合挿入されるように、階段状に縮径する円形の凹部を有している。当該凹部に第１レ
ンズ２４、第２レンズ２６、第３レンズ２８の順に各レンズが収納されて積層され、さら
にリング状のリテーナ２９が積層されるとともに、リテーナ２９がレンズ保持体２２に接
着剤等の固定手段により固定されることにより、レンズ群２１はレンズ保持体２２に保持
される。レンズ保持体２２は、たとえば樹脂により形成されている。
【００３８】
また、レンズ保持体２２には、後で詳述するように、被検出部と、この被検出部の近傍
に配置され被検出部を検出する光反射型の検出部とが設けられる。
【００３９】
レンズ用基体２３は、図４および図５に示すように、たとえば樹脂により形成され、全
体形状は概ね薄型の直方体である。レンズ用基体２３の広さは被写体側カバー１１と同程
度であり、被写体側カバー１１は、シャッタユニット１２およびモータ１３の上からレン
ズ用基体２３に被せられ、レンズ用基体２３に嵌合する。なお、被写体側カバー１１とレ
ンズ用基体２３との固定は、たとえば、レンズ用基体２３に設けられた複数の孔状の係止
部２３ａに、被写体側カバー１１に設けられた爪部１１ｄが挿入されて係止されることに
より行われる。
【００４０】
レンズ用基体２３の被写体側には、全体として略矩形の凹部２３ｂが設けられており、
シャッタユニット１２は凹部２３ｂに嵌合挿入された状態でレンズ用基体２３に対して固
定される。なお、凹部２３ｂは、光路を確保するために一部が抜け孔状に形成されている
。シャッタユニット１２とレンズ用基体２３との固定は、たとえばねじ１０１がレンズ用
基体２３の貫通孔に挿入されてシャッタユニット１２に螺合されることにより行われる。
【００４１】
また、レンズ用基体２３の被写体側には、凹部２３ｂに隣接して凹部２３ｃが設けられ
ており、モータ１３は凹部２３ｃに収容された状態でレンズ用基体２３に対して固定され
る。なお、凹部２３ｃは一部が抜け孔状に形成されていてもよい。モータ１３のレンズ用
基体２３への固定は、たとえばモータ１３が半田付けや溶接等によりモータ固定部材３１
に固定され、モータ固定部材３１の貫通孔に挿通されたねじ１０２がレンズ用基体２３の
ねじ穴に螺合されることにより行われる。モータ固定部材３１は、たとえば平板状の金属
により形成され、モータ１３の被写体側に配置されている。
【００４２】
なお、シャッタユニット１２およびモータ１３がレンズ用基体２３の凹部２３ｂおよび凹部２３ｃに収容されることにより、レンズ用基体２３の被写体側の面、シャッタユニット１２の被写体側の面、モータ固定部材３１の被写体側の面は、光軸方向の位置が略同じとなっている。
【００４３】
基板カバー１５は、たとえば樹脂により形成され、全体形状は概ね薄型の直方体である
。基板カバー１５には、光路を確保するための開口部１５ａが設けられている。また、基
板カバー１５の基板１６側には、基板１６に設けられる各種の部品を収容可能な凹部１５
ｂ（図３（ｂ）参照）が複数設けられている。なお、基板カバー１５のレンズ用基体２３
側には赤外カットフィルタ３３が設けられている。
【００４４】
基板１６は、図４に示すように、硬質の基板材料により剛体の基板として構成され、全
体として略矩形状に形成されている。基板１６は、たとえば硬質の樹脂により形成された
絶縁層に、パターン層、グランド層、電源層が積層された多層式のプリント基板である。
【００４５】
基板１６の被写体側の面１６ａには、レンズ群２１により光像が結像され、結像された
光像に応じた信号を出力する撮像素子３５、ＦＰＣ３２のコネクタ部３２ｂと接続される
コネクタ部３６等の各種電子部品が設けられている。
【００４６】
一方、図３（ｂ）に示すように、基板１６の被写体とは反対側の面１６ｂには、面１６
ｂに沿って延び、基板１６から延出するＦＰＣ３７が設けられているのみであり、面１６
ｂ側は略平坦に形成されている。なお、ＦＰＣ３７を被写体側の面１６ａに接続し、被写
体とは反対側の面１６ｂには何も実装しないようにしてもよい。
【００４７】
なお、図３（ａ）および図３（ｂ）に示すように、基板１６は、光学モジュール７の全
体形状における被写体側の反対側の面を構成しており、光学モジュール７が携帯電話機１
に実装される際には、たとえば、基板１６の被写体側と反対側の面１６ｂが、携帯電話機
１の内部に設けられた不図示の基板等の適宜な部材に当接し、携帯電話機１に保持される
。ＦＰＣ３７には、携帯電話機１の内部に設けられた基板等と接続するためのコネクタ３
８が設けられている。このコネクタ３８の接続により携帯電話機１の電池から電力の供給
を受けることができる。
【００４８】
撮像素子３５は、たとえばＣＣＤであり、受光した光に応じた信号を出力する。撮像素
子３５により出力された信号は、基板１６およびＦＰＣ３７を介して携帯電話機１の表示
部用の基板等に設けられた画像処理部に出力されて処理される。そして光像の画像はメイ
ン表示部５又はサブ表示部６に表示される。
【００４９】
図６は、シャッタユニット１２の分解斜視図であり、紙面上方が被写体側に対応する。
【００５０】
シャッタユニット１２は、全体として箱状に形成されたシャッタ用基体４１と、シャッタ
用基体４１に収容される減光フィルタ４２と、減光フィルタ４２を押さえる減光フィルタ
押え板４３、シャッタ用基体４１に収容される複数のシャッタ羽根４４Ａ〜４４Ｄ、シャ
ッタ羽根４４Ａ〜４４Ｄを押さえる押え板４５とを備えている。なお、シャッタ用基体４
１と押え板４５とによりシャッタユニット１２の外形が概ね構成されている。
【００５１】
図４および図５において示したように、携帯電話機１では、シャッタユニット１２と、
レンズユニット１４とはそれぞれ独自にシャッタ用基体４１と、レンズ用基体２３と、を
有して構成されている。そして、シャッタ用基体４１とレンズ用基体２３とが結合される
ことにより光学モジュール７の一部が構成されている。
【００５２】
図６に示すように、シャッタ用基体４１の底面には、入射光をレンズユニット１４へ透
過させる開口部が設けられている。開口部の形状は適宜であるが、たとえば矩形である。
【００５３】
開口部の周囲には固定凸部４１ａおよび可動凸部４１ｂが複数設けられ、固定凸部４１ａ
および可動凸部４１ｂが減光フィルタ４２やシャッタ羽根４４Ａ〜４４Ｄに設けられた貫
通孔に挿入され、可動凸部４１ｂを駆動して固定凸部４１ａ回りに減光フィルタ４２やシ
ャッタ羽根４４Ａ〜４４Ｄを回転させることにより、減光フィルタ４２の出し入れやシャ
ッタ羽根４４Ａ〜４４Ｄによる光路の開閉が行われる。
【００５４】
なお、可動凸部４１ｂを駆動させるアクチュエータ（不図示）はシャッタ用基体４１に
収容されている。たとえば、凹部１２ａ（図５参照）の周囲の凸部４１ｃに収容されてい
る。当該アクチュエータの動作は、ＦＰＣ３２、基板１６、ＦＰＣ３７を介して携帯電話
機１の不図示の制御部により制御される。
【００５５】
図７は、レンズユニット１４を被写体とは反対側からみた斜視図であり、図８は、レン
ズユニット１４の内部構成を示す斜視図であり、図９（ａ）は、本実施形態に係る伝達機
構のカムギアを被写体側からみた斜視図、図９（ｂ）は、カムギアを回転軸方向にみた正
面図である。また、図１０は、本実施形態に係る軸受部の構成例を示す斜視図である。
【００５６】
レンズ保持体２２は、レンズ２１の径方向外側に突出する被案内部２２ａ、２２ｂを備
えている。被案内部２２ａには貫通孔２２ｃが設けられ、当該貫通孔２２ｃにガイド軸５
１が挿通されている。ガイド軸５１は光軸方向に延びてレンズ用基体２３に固定されてお
り、被案内部２２ａを光軸方向に案内する。被案内部２２ｂは、レンズ用基体２３に設け
られた凹状のレール部２３ｄに挿入されている。レール部２３ｄは光軸方向に延びるよう
に形成されて被案内部２２ｂを光軸方向に案内する。
【００５７】
モータ１３は、たとえばステッピングモータにより構成され、ロータ等を含むモータ本
体１３ａと、モータ本体１３ａから延出し、回転駆動される出力軸１３ｂとを有している
。モータ本体１３ａはたとえば略円筒形に形成され、出力軸１３ｂは当該円筒形の端面か
ら延出する。
【００５８】
図７および図８に示すように、モータ本体１３ａは、出力軸１３ｂ方向の長さが出力軸
１３ｂに直交する方向の幅よりも大きい。また、モータ本体１３ａの長さと出力軸１３ｂ
の長さとを積算した長さは、レンズ群２１の径よりも大きく、モータ本体１３ａの出力軸
１３ｂに直交する方向の幅はレンズ群２１の光軸方向の厚さよりも小さい（図３（ｂ）参
照）。
【００５９】
モータ１３は、出力軸１３ｂが、光軸に直交する方向であってシャッタユニット１２と
の配列方向に対して直交する方向（ｚ軸方向、図４および図５も参照）に沿って延びるよ
うに配置されている。すなわち、モータ１３の全体形状における長手方向を光軸に直交に
、短手方向を光軸に平行にして配置されている。
【００６０】
モータ本体１３ａのシャッタユニット１２と反対側の側面には、端子フォルダ５２が設
けられており、端子フォルダ５２の端子５２ａは、ＦＰＣ３２に接続されている（図４お
よび図５参照）。モータ１３の動作は、携帯電話機１の不図示の制御部により、ＦＰＣ３
７、基板１６、ＦＰＣ３２、端子フォルダ５２を介して制御される。
【００６１】
図７および図８に示すように、レンズユニット１４には、モータ１３の出力軸１３ｂの
回転を光軸方向の直線運動に変換してレンズ保持体２２に伝達する伝達機構５３が設けら
れている。
【００６２】
伝達機構５３は、モータ１３の出力軸１３ｂに設けられるウォーム５４と、ウォーム５
４と噛合するウォームホイール５５と、ウォームホイール５５と噛合するカムギア５６と
を備えている。なお、ウォーム５４、ウォームホイール５５およびカムギア５６は後述す
るカム部５６ｂを駆動するカム駆動部として機能する。
【００６３】
ウォーム５４とウォームホイール５５とはウォーム歯車装置を構成し、出力軸１３ｂの
光軸に直交する軸回りの回転を光軸に平行な軸回りの回転に変換する。すなわち、ウォー
ム５４は光軸に直交する軸回りに回転し、ウォームホイール５５はウォーム５４により伝
達された駆動力により光軸に平行な軸回りに回転する。
【００６４】
また、ウォームホイール５５は、ウォーム５４と噛合する大径ギア部５５ａと、大径ギ
ア部５５ａよりも歯数が少なく、カムギア５６と噛合する小径ギア部５５ｂとを備えてお
り、ウォーム５４から伝達された回転を所定の減速比で減速して伝達する。なお、ウォー
ムホイール５５は、図５に示すように、レンズ用基体２３に設けられた一部が切り欠かれ
た円形の凹部２３ｅに挿入されるとともに、モータ保持部材３１から突出する軸部３１ｂ
に軸支されている。
【００６５】
前述したように、図９（ａ）は、カムギア５６を被写体側からみた斜視図、図９（ｂ）
は、カムギア５６を回転軸方向にみた正面図である。
【００６６】
カムギア５６は、外周部の一部にギア部５６ａを、外周部の他の一部にカム部５６ｂを
備えている。ギア部５６ａおよびカム部５６ｂは、それぞれカムギア５６の略半周に亘っ
て形成されている。ギア部５６ａはウォームホイール５５と噛合し、カムギア５６は光軸
に平行な軸回りに回転する。
【００６７】
カム部５６ｂは、カムギア５６の回転軸に直交する面に対して傾斜する、すなわち、光
軸に直交する面に傾斜するカム面５６ｃを有している。
【００６８】
一方、図１０に示すように、レンズ保持体２２は、カム面５６ｃに当接する当接部２２
ｄを有しており、当接部２２ｄはカムギア５６の回転に伴ってカム面５６ｃに摺動可能で
ある。また、レンズ保持体２２は、ばね載置部２２ｋを形成し、このばね載置部２２ｋに
ばね５７を載置することによりカム面５６ｃへ付勢されている。したがって、カムギア５
６の回転に伴ってレンズ保持体２２は光軸方向に案内される。
【００６９】
本実施形態では、ばね５７を円錐形状のコイルスプリングとしたことを特徴とし、レン
ズ保持体２２とレンズ用基体２３との間に所定の圧縮力で挟持されている。このように、
円錐形状のコイルスプリングを用いることにより、圧縮された時にコイル状部分が重なる
ことが無くなり、厚みを極力抑えることができ、レンズ保持体２２が移動してレンズ用基
体２３と最短距離となった場合でも、ばね５７の厚みを考慮した距離とする必要がないた
めに、光軸方向の薄型化を実現することができるようになる。
【００７０】
なお、カム面５６ｃの傾斜角は適宜に設定してよいが、たとえば、図９に示すように、
両端側の端部側カム面５６ｅにおける傾斜角を、当該両端の間における中央側カム面５６
ｄの傾斜角よりも緩やかに、あるいは傾斜角を０°とし、カムギア５６のオーバーランが
生じた際のレンズ保持体２２の光軸方向への移動が抑制されるようにしてもよい。たとえ
ば、中央カム面５６ｃの傾斜角を９°±２０％、すなわち７〜１１°とすることが好まし
い。この範囲は、光学モジュール内に搭載するカムギア５６としての小型化を目指しなが
らも必要最低限の大きさ、およびレンズ保持体２２の光軸方向の移動量を考慮し、妥当な
駆動分解能と駆動速度で、かつスムーズに駆動できる範囲である。具体的には、７°より
も小さいと、カムギア５６が小型であり、レンズ保持体２２の必要移動量を確保するため
に中央カム面５６ｃが１周分で足りない場合があり、足りるとしてもカムギア５６の回転
量が多くなり、レンズ保持体２２が所定位置に到達するのに駆動時間を要してしまう。逆
に１１°よりも大きいと、レンズ保持体２２を細かい刻みで保持させることができなくな
り駆動分解能が落ちてしまい、かつレンズ保持体２２の重力により当接部２２ｄと中央カ
ム面５６ｃとの間で滑りが生じやすくなってしまう。
【００７１】
図８に示すように、レンズユニット１４には、カムギア５６の回転位置の検出、ひいて
はレンズ保持体２２の光軸方向の位置の検出をするための検出部としての光電センサ６１
が設けられている。
【００７２】
そして、図９に示すように、前記光軸に略平行な軸回りに回転する前記カムギア５６の前記光軸に略垂直な面には被検出部５６ｆが形成されている。
【００７３】
図１１は、光電センサ(フォトリフレクタ)の動作原理を説明するための図である。
【００７４】
図１１に示すように、位置検出手段における検出部としての光電センサ６１は、反射型
の光電センサにより構成され、発光ダイオード等により形成される発光部６１ａと、フォ
トトランジスタにより形成される受光部６１ｂとを備えている。
【００７５】
光電センサ(フォトリフレクタ)６１は前記カムギア５６の被検出部５６ｆに対して対向するように配置されており、発光部６１ａは前記カムギア５６の被検出部５６ｆに光を照射し、受光部６１ｂは前記カムギア５６の被検出部５６ｆにより反射された光を受光し、受光した光に応じた電気信号を出力する。
【００７６】
このような配置関係をもった光電センサ６１と被検出部５６ｆを含む位置検出部は、発光ダイオード等による発光を被検出部５６ｆに反射させ、反射光をフォトトランジスタで受光する。
【００７７】
発光ダイオード等による発光は周波数分布のピークが赤外域にあるものを用い、被検出
部５６ｆの第１の反射部５６ｇに反射タイプの赤外カットフィルタを形成する事で、透過・吸収されない赤外光が効率よく反射される。
【００７８】
更に被検出部５６ｆの第１の反射部５６ｇへの反射タイプの赤外カットフィルタの接着に紫外線硬化型の接着剤を使用すると、反射タイプの赤外カットフィルタ越しに紫外線を照射することができるために、製造時における接着の工程を非常に短時間で済ませることができる。従来、被検出部５６ｆの第１の反射部５６ｇには反射率の良いミラー等を貼付する事が多かったが、通常の接着剤を用いるとその硬化に時間を要し、粘着テープを用いると温度（湿度）環境や衝撃で貼り付け位置がずれる恐れがあった。これに対して本発明は、反射タイプの赤外カットフィルタを反射板として用いる事で、反射タイプの赤外カットフィルタを透過する紫外線で硬化する接着剤を用いる事ができ、これらの問題を解決することができる。
【００７９】
また、反射光を受光するフォトトランジスタは分光感度のピークが発光ダイオード等に
よる発光強度の周波数分布のピークに合致するようにして、出力のダイナミックレンジを
大きく取れるようにする事が好ましい。
【００８０】
反射光の強さによって光電流の大きさが変化する。反射光が強いと光電流は大きく、反
射光が弱いと光電流は小さくなる。反射光の強さは、反射面の反射率やフォトリフレクタ
と反射面との距離によって異なってくる。
【００８１】
光電センサ６１からの出力は、受光部６１ｂにより受光した光量に応じた光電流に基づ
いた電気信号（たとえば、電流値、電圧値、あるいは電力値）であり、これが一定の閾値
を超えたか否かにより、出力する信号をオン信号とオフ信号との間で切り換える。
【００８２】
光電センサ６１は、前記カムギア５６の被検出部５６ｆと対向する側と反対側に設けられた端子６１ｃ（図８参照）にＦＰＣ３２（図４および図５参照）が接続されることにより、基板１６と接続されている。光電センサ６１の動作は、ＦＰＣ３２、基板１６、ＦＰＣ３７を介して携帯電話機１の不図示の制御部により制御される。
【００８３】
図９（ａ）及び図９（ｂ）に示すように、カムギア５６の光電センサ６１と対向する位
置、すなわち、カム部５６ｂと同心円状の位置は、発光部６１ａからの光を受光部６１ｂ
に反射する被検出部５６ｆとして機能する。被検出部５６ｆは、例えばカム部５６ｂの内
周側に位置する。被検出部５６ｆには、第１の反射部５６ｇと、第２の反射部５６ｈとが
含まれている。
【００８４】
また、レンズ保持体２２がカム部５６ｂの端部間
に当接するときに光電センサ１６により検出される第１の反射部５６ｇは、円周方向の位
置がカム部５６ｂと重複していなくてもよい。例えば、回転軸を挟んでカム部５６ｂと対
向する位置に設けられていてもよい。この場合であっても、第１の反射部５６ｇの長さを
カム部５６ｂの長さよりも短くし、光電センサ１６とレンズ保持体２２の当接部２２ｄと
のずれ量をカム部５６ｂと第１の反射部５６ｇとのずれ量と等しくすればよい。
【００８５】
レンズ保持体２２の基準位置を定め、そこを基点にステッピングモータの送り量で制御
を行う場合、基準点を高分解能で且つ繰り返し精度を高く検出することが非常に重要とな
る。そのため、第１の反射部５６ｇと第２の反射部５６ｈとで得られる出力信号の差（オン信号とオフ信号の差）が大きいことが望ましい。
【００８６】
オン信号とオフ信号の差を大きくする手段の一つとして、第１の反射部５６ｇと第２の反射部５６ｈの光の反射率の差を大きく設定する方法がある。
【００８７】
たとえば、第１の反射部５６ｇの表面に反射タイプの赤外カットフィルタを貼付または蒸着し、更に第２の反射部５６ｈの表面を梨地処理することなどにより、第１の反射部５６ｇと第２の反射部５６ｈの反射率の差が大きく設定されている。
【００８８】
また、オン信号とオフ信号の差を大きくする別の手段として、第１の反射部５６ｇと、第２の反射部５６ｈとの光電センサ６１からの検出距離を変える方法を採用可能である。
【００８９】
図１２は、一般的な光電センサ（フォトリフレクタ）の検出距離と出力の関係を示す図
である。
【００９０】
フォトリフレクタにはその発光・受光角度の構造によってそれぞれ最適な検出距離があ
り、それより短くても長くても、光電流は最適時のそれより小さくなる。最適な検出距離
より短い場合は長い場合は発光ダイオードの光は反射面と、フォトリフレクタ表面との間
で何度も反射を繰り返した後に受光部分に到達する。よって、減衰した光をフォトトラン
ジスタで受けるために光電流は小さくなる。最適な検出距離より長い場合は、反射光の光
束の中心が受光部分の中心からずれていくことと、光路長が長くなって減衰することで受
光する光が弱まり、光電流が小さくなる。
【００９１】
図９（ｃ）及び図９（ｄ）は、第１の反射部５６ｇと、第２の反射部５６ｈとの光電センサからの検出距離を変える例を示す図である。光電センサ６１の出力のダイナミックレンジを更に大きくとる為に、図９（ａ）の様に
第１の反射部５６ｇは、第２の反射部５６ｈよりも光電センサ６１側に突出する突条に
形成（以下、突出部または突条部ともいう）し、光電センサ６１の出力が最も大きくなる最適検出距離となるようにする。
【００９２】
このように、位置検出手段として発光部６１a（発光素子）と受光部６１ｂ（受光素子
）を有する光電センサ６１（光学センサ）を用い、突条に形成された第１の反射部５６ｇ
を有することにより、光電センサ６１との距離が短くなることで受光部６１ｂの受光量が
増すために、駆動先であるレンズの位置検出を正確に行えることができる。具体的には、
光電センサ61は検出に最適な被検出体との距離が決まっているが、第１の反射部５６ｇの
高さをこの最適な距離とし、第２の反射部５６ｈをより離れた距離とすることで、光電セ
ンサ６１の出力信号に大きな差が生じるようにし、誤検出の防止や検出精度の向上を図る
ことができる。
【００９３】
本実施例のように、光学モジュールを小型化するには、この最適距離が短い光電センサ
を用いることが好ましく、例えば反射型の光電センサの距離と相対出力電流のグラフから
最適距離を見ると、ＮＪＬ５１９６／９７Ｋ（新日本無線社製）は約０．６ｍｍ、ＣＮＢ
１０１１（松下社製）は約０．８ｍｍ、ＥＥ−ＳＹ１２５（ＯＭＲＯＮ社製）は約０．７
ｍｍ、ＰＲ−３０−Ｔ（シチズン電子社製）は約０．４ｍｍであり、この最適距離をピー
クに近くおよび離れるにつれ相対出力電流が低下している。そして、この最適距離で得ら
れる電流値を１００％とした時に、６０％を閾値とし、それを超えたか否かにより、出力
する信号をオン信号とオフ信号との間で切り換えることとした場合、上述したいずれの光
電センサでも被検出物が１．５ｍｍ以内の距離とする必要がある。ところが、光学モジュ
ールの光電センサを固定するための構造上、及びカム部５６ｂと当接部２２ｄとの摺擦ク
ズの影響防止、あるいはカム部５６ｂに塗布する潤滑剤の飛び散り影響防止等の理由から
、光電センサ６１と第２の反射部５６ｈとを１．５ｍｍよりも離れさせざるを得ない。そ
こで、本発明では、第１の反射部５６ｇを突条させて形成し、これにより光電センサ６１
がオン信号と切り換えるのに適した位置まで距離を短くでき、誤検出の防止や検出精度の
向上を図ることができるようになる。また、光電センサ６１は、被検出物との距離が僅か
に変わった時に、受光部６１ｂで得る電流値が大幅に低減するものが好ましく、例えば、
最適距離で得る電流値を１００％とした時に、その最適距離から１ｍｍ離れた時に５０％
以上ダウンするものが好ましい。
【００９４】
第１の反射部５６ｇを光電センサ６１からの検出距離を出力信号が最も大きく得られる最適距離に、第２の反射部５６ｈを光電センサからの検出距離をそれより遠く設定することにより光電センサ６１の出力信号に大きな差が生じるようにしている。
【００９５】
図９（ｃ）及び図９（ｄ）は、第１の反射部５６ｇを凸形状とした例であるが、このとき検出距離の差が大きいほうが出力差を大きく取れる。すなわち凸部をなるべく大きく出っ張らせたほうが有利ということになる。ただし凸部を大きく出っ張らせるということはそれだけ機構が大きくなることになってしまう。
【００９６】
そこで、第１の反射部５６ｇを逆に凹形状とし、凹部が最適検出距離となるようにし、被検出部ではない部分と光電センサからの検出距離をそれより近く設定することにより光電センサの出力信号に大きな差が生じるようにする方法もある。
【００９７】
図１２の特性図でも判るように、第１の反射部５６ｇと検出部である光電センサ６１の発受光面との距離が短いほうの変化が長いほうの変化より急峻である。すなわち、僅かな距離の変化でより大きな出力差が得られることになる。また、検出部を凹部にして、それ以外の部分になるべく近くなるようにフォトリフレクタを配置するという事は、機構を最小限の大きさに抑えられるということになる。
【００９８】
このように、位置検出手段として発光部６１ａ（発光素子）と受光部６１ｂ（受光素子
）を有する光電センサ６１（光学センサ）を用い、前記カムギア５６に形成された反射体である被検出部５６ｆを有し、光電センサ６１を被検出部５６ｆの近傍に配置することにより、光電センサ６１との距離が短くなることで受光部６１ｂの受光量が増すために、駆動先であるレンズの位置検出を正確に行なうことができる。
【００９９】
具体的には、光電センサ６１は検出に最適な被検出体との距離が決まっているが、第１の反射部５６ｇとの距離を最適な距離とし、第１の反射部５６ｇとの光軸方向の境界端部(エッジ部)を含む第２の反射部５６ｈを光電センサ６１より離れた距離とすることで、図１３に示すように、エッジが強調されて光電センサ６１の出力信号に大きな差が生じるようにし、誤検出の防止や検出精度の向上を図ることができる。
【０１００】
第１の反射部５６ｇの反射率を高めると、図１３に示すように、破線で示す通常の場合より、実線で示すように、至近端側の出力電流のダイナミックレンジを拡大することができる。
【０１０１】
また、第２の反射部５６ｈの反射率を、梨地処理や光電センサ６１から距離を長くする等してダウンさせることにより、図１４に示すように、無限端側の出力電流のダイナミックレンジを拡大することができる。
【０１０２】
したがって、第１の反射部５６ｇの反射率を高め、かつ第２の反射部５６ｈの反射率を、梨地処理や光電センサ６１から距離を長くする等してダウンさせることにより、図１５に示すように、至近端側および無限端側の出力電流のダイナミックレンジを拡大することができる。
【０１０３】
なお、本実施形態では、光電センサ６１を用いた場合について説明したが、光電センサ
は、発光部と受光部を有し、発光部から照射された光の反射光の変化に応じて出力信号を
変化させるものであればよく、光量に応じた信号を出力するものに限定されない。たとえ
ば、光電センサとして位置検出素子（ＰＳＤ）や２分割フォトダイオードを有する光電セ
ンサを用いてもよい。
【０１０４】
このように、レンズ保持体２２が基準位置、あるいは基準エリアに位置している時に、第１の反射部５６ｇの光軸方向におけるエッジが光電センサ６１に対向する位置に来ていることが好ましい。なお、基準位置としては、収納位置（光学レンズ系の非駆動、非ズーム位置）、予め決められたズーム位置、無限の焦点位置、至近の焦点位置、あるいは任意の焦点位置等であればよく、これらを組み合わせて複数の基準位置を設けてもよい。また、基準エリアとしては、収容エリア、ズームエリア、任意の焦点エリア等であればよく、これも組み合わせて複数の基準エリアを設けてもよい。
【０１０５】
また、被検出部となる第１の反射部５６ｇは、カムギア５６の光軸に直交する面におい
てカム部５６ｂの内周側に設けられるものに限定されず、例えば、カム部５６の外周側に
設定してもよい。さらに、本実施例では、第１の反射部５６ｇとカム部５６ｂとを別に設
けたが、カム部５６ｂの突条部分に光電センサ６１を配設し、カム部５６ｂの両端部側カム面５６ｅにおける傾斜角を０°（光軸に直交する平面）として、第１の反射部と兼用するようにしてもよい。
【０１０６】
以上の実施形態によれば、モータ１３を、出力軸１３ｂがレンズ群２１の光軸に直交す
る方向に延びるように配置し、出力軸１３ｂの回転を伝達機構５３により光軸方向への並
進運動に変換してレンズ保持体２２に伝達することから、レンズ群２１と、モータ本体１
３ａと、モータの出力軸１３ｂとを光軸方向に直列に配置する場合に比較して薄型化を図
ることが可能となる。換言すれば、従来、出力軸１３ｂを光軸に平行とする配置のみであ
ったのに対し、出力軸１３ｂを光軸に直交させるという選択肢が増え、設計の自由度が向
上する。
【０１０７】
たとえば、モータ１３をレンズ群２１の径方向外側に設けることにより、あるいは、シ
ャッタユニット１２（シャッタ用基体４１）と並列に配置することにより、薄型化が図ら
れる。そして、シャッタ用基体４１、レンズ用基体２３、基板カバー１５、基板１６の順
に積層した全体の形状を光軸方向に薄い薄型形状に構成できる。
【０１０８】
基板１６は、シャッタ用基体４１、モータ１３、レンズ用基体２３および基板カバー１
５と同等以上の広さを有し、基板１６の撮像素子３５が設けられる面１６ａと反対側の面
１６ｂは光学モジュール９の全体形状の一面を構成し、当該反対側の面１６ｂには、面に
沿って延びるＦＰＣ３７のみが設けられていることから、光学モジュール９を実装する際
には、基板１６を携帯電話機１内部の平坦部、たとえばメイン基板に当接させて載置させ
ることができる。したがって、光学モジュール９の実装が容易化され、固定も確実に行わ
れる。このように、本発明の構成によれば、シャッタ羽根をレンズの光路を開閉可能に保
持するシャッタ用基体を備えた光学モジュールに対しても薄型形状に構成することができ
る。
【０１０９】
伝達機構５３に、光軸に直交する面に対して傾斜するカム面５６ｃを有するカム部５６
ｂを設け、当該カム部の光軸に直交する面に沿った移動に伴ってレンズ保持体２２を光軸
方向に案内することから、カム面５６ｃの傾斜角や高さの調整によりレンズ保持体２２の
移動特性を設定することができ、たとえば、モータ１３の回転速度が一定であってもレン
ズ保持体２２の移動速度を変化させたり、モータ１３がオーバーランしてもレンズ保持体
２２が光軸方向に移動しないようにすることができる。換言すれば、モータ１３の制御の
容易化や制御精度の緩和が図られる。
【０１１０】
レンズ保持体２２をカム面５６ｃへ付勢するばね５７を設けることにより、カム面５６
ｃの上昇によりレンズ保持体２２を押し上げて案内するだけでなく、カム面５６ｃの下降
にレンズ保持体２２を追従させて案内することができる。
【０１１１】
光軸に平行な軸回りに回転するカムギア５６にカム部５６ｂを設けてレンズ保持体２２
を案内していることから、光軸方向において薄型化が図られる。すなわち、一般にカムギ
アは回転軸方向に薄い薄型形状であるから、回転軸を光軸に直交させるよりも回転軸を光
軸に平行にしたほうが光軸方向の配置領域が小さくなり、薄型化が図られる。
【０１１２】
ギア部５６ａは、カムギア５６の外周部の一部に設けられ、カム部５６ｂは、カムギア
５６の外周部の他の一部に設けられていることから、形状が比較的簡素であり、形状や配
置領域の設定、組み立て等が比較的容易化される。また、カム部５６ｂが外周部に設けら
れることにより、内周側に設けられた場合に比較して回転角度に対するカム部５６ｂの長
さが長くなるから、カム面５６ｃの傾斜角を緩やかにして、レンズ保持体２２を円滑に案
内することができる。
【０１１３】
そして、本実施形態では、図１０のレンズ保持体２２の貫通孔２２ｃ近傍の拡大図に示
すように、ガイド軸５１の軸受部として２つの貫通孔２２ｃ１，２２ｃ２を有し、貫通孔
２２ｃ１，２２ｃ２がガイド軸５１に対してそれぞれ角の向きが異なるＶ字形状を形成し
、ガイド軸５１がＶ字形状の谷の部分に摺接してレンズ保持体２２がガイドされることに
よりレンズ保持体２２のガタつきを排除することを特徴とする。
【０１１４】
具体的には、被案内部２２aに形成される第１の軸受部となる貫通孔２２ｃ１は、Ｖ字
形状を有する略扇状に形成され、ガイド軸５１の図面上左側（当接部２２ｄの最近傍側、
ばね載置部２２ｋの最遠方側）にテーパ状の摺接部２２ｅ，２２ｆが形成され、ガイド軸
５１の図面上右側（当接部２２ｄの最遠方側、ばね載置部２２ｋの最近傍側）に円弧状部
２２ｇが形成されている。これに対して、第２の軸受部となる貫通孔２２ｃ２は、Ｖ字形
状を有する略扇状に形成され、ガイド軸５１の図面上右側にテーパ状の摺接部２２ｈ，２
２ｉが形成され、ガイド軸５１の図面上左側に円弧状部２２ｊが形成されている。すなわ
ち、ガイド軸５１との摺接部となるＶ字形状部分がガイド軸５１を挟んで１８０°異なる
方向に位置するような形状に形成されている。これにより、レンズ保持体２２のガタつき
を排除することができる。このように当接部２２ｄとばね載置部２２ｋとをガイド軸５１
を挟んで対向する位置に配設し、２つのＶ字形状の一方を当接部２２ｄの最近傍側に、他
方をばね載置部２２ｋの最近傍側に向けることにより、ガイド軸５１と軸受部との当接が
より確実なものとなり、ガタつき排除をすることができる。
【０１１５】
なお、Ｖ字形状の角度は小さすぎるとガイド軸５１をきつく締め付けて、駆動時の負荷
となってしまうために、Ｖ字の開口角度を９０°以上にして負荷を低減することが好まし
い。また、本実施形態では、製造上の容易さ、かつガタつき排除の正確さからＶ字形状を
有する２つの軸受部を形成し、双方のＶ字形状を１８０°異なる方向に設けた場合につい
て説明したが、軸受部の数をいくつにしてもよく、少なくとも異なる形状の軸受部を有す
ればガタつき排除をすることができる。
【０１１６】
本発明は以上の実施形態に限定されず、種々の態様で実施してよい。
【０１１７】
本発明の光学モジュールが適用される対象は携帯電話機に限定されず、デジタルカメラ
、監視カメラ等の種々の機器に適用してよい。
【０１１８】
駆動源は、出力軸が光軸に直交する方向に配置されていれば、レンズ、シャッタ、撮像
素子等に対して適宜な位置に配置してよい。
【０１１９】
伝達機構は、駆動源の光軸に直交する軸回りの回転を、光軸方向への並進運動に変換し
てレンズ保持体に伝達するものであればよく、カムを用いるものに限定されない。たとえ
ばラックとピニオンを含むスライダリンク機構により、光軸に直交する軸回りの回転を光
軸方向への並進運動に変換してもよい。
【０１２０】
また、カムにより光軸方向への並進運動を実現する場合、カムの移動によりカム面の光
軸方向の高さが変化すればよく、光軸に平行な軸回りに回転するカムギアにカムを設ける
ものに限定されない。たとえば、光軸に直交する軸回りに回転し、回転軸から周縁部への
距離が周方向の位置に応じて変化するカムにより光軸方向への並進運動に変換してもよい
し、光軸に直交する面に傾斜するカム面を光軸に直交する面に沿って直線的に駆動して光
軸方向への並進運動に変換してもよい。
【０１２１】
光軸に平行な軸回りに回転するカムギアにより光軸方向への並進運動に変換する場合、
カムギアがウォームに噛合してカムギアがウォームホイールを兼ねてもよい。また、ウォ
ームホイールとカムギアとの間に他の歯車を介在させてもよい。ウォームを出力軸に設け
ずに、たとえば出力軸の回転が伝達される出力軸と平行な軸にウォームを設けてもよい。
【０１２２】
カム部はギア部と同心円状に設けられていればよく、たとえばカムギアの内周側に設けら
れてもよい。
【０１２３】
これらの発明においては、レンズを移動させるための構成はなくてもよい。また、全体
形状が薄型形状でなくてもよい。そして、当該発明においても、本願の発明と同様の各種
の好ましい態様を含んでいてもよい。
【図面の簡単な説明】
【０１２４】
【図１】本発明の実施形態の携帯電話機の外観を開状態で示す斜視図である。
【図２】図１の携帯電話機の外観を閉状態で示す斜視図である。
【図３】図１の携帯電話機の光学モジュールの外観斜視図と断面図である。
【図４】図３の光学モジュールを被写体側からみた分解斜視図である。
【図５】図３の光学モジュールを被写体側の反対側からみた分解斜視図である。
【図６】図３の光学モジュールのシャッタユニットの分解斜視図である。
【図７】図３の光学モジュールのレンズユニットの斜視図である。
【図８】図７のレンズユニットの内部構成を示す斜視図である。
【図９】図７のレンズユニットのカムギアを示す図である。
【図１０】図７のレンズユニットのレンズ保持体の貫通孔近傍を示す図である。
【図１１】光電センサ(フォトリフレクタ)の動作原理を説明するための図である。
【図１２】一般的な光電センサ（フォトリフレクタ）の検出距離と出力の関係を示す図である。
【図１３】被検出部の反射率をアップした場合のダイナミックレンジ拡大効果を説明するための図である。
【図１４】被検出部以外の反射率をダウンまたは形状を変更した場合のダイナミックレンジ拡大効果を説明するための図である。
【図１５】被検出部の反射率をアップし、被検出部以外の反射率をダウンまたは形状を変更した場合のダイナミックレンジ拡大効果を説明するための図である。
【符号の説明】
【０１２５】
２４、２６、２８…レンズ
２２…レンズ保持体
２３…レンズ用基体
１３…駆動源
５３…伝達機構
６１…光電センサ
６１ａ…発光部
６１ｂ…受光部
６１１…発受光面
５６ｆ…被検出部
【図１】
2007309973.tif 000003
【図２】
2007309973.tif 000004
【図３】
2007309973.tif 000005
【図４】
2007309973.tif 000006
【図５】
2007309973.tif 000007
【図６】
2007309973.tif 000008
【図７】
2007309973.tif 000009
【図８】
2007309973.tif 000010
【図９】
2007309973.tif 000011
【図１０】
2007309973.tif 000012
【図１１】
2007309973.tif 000013
【図１２】
2007309973.tif 000014
【図１３】
2007309973.tif 000015
【図１４】
2007309973.tif 000016
【図１５】
2007309973.tif 000017